(57)【特許請求の範囲】
【請求項１】
他のファクシミリ装置と信号の送受信を行うモデムと、受信した画像信号をフレーム毎に正しく受信されたか否かの確認を行うエラーチェック部とを有するとともに、前記モデムで正しく受信されなかったフレームが前記エラーチェック部で確認されたとき、通信相手となるファクシミリ装置に対して正しく受信されなかったフレームの画像信号の再送を求めるためのＥＣＭ（Error Correction Mode）機能を備えたファクシミリ装置において、
前記エラーチェック部において、所定時間、前記モデムで正しく画像信号が受信されなかったときに、正しく受信されなかったフレームが連続したものと見なすとともに、前記モデムで正しく受信されなかったフレームが連続したことが確認されると、
前記モデムの通信動作を、第１通信速度で送受信される画像信号を受信する第１状態から、第２通信速度で送受信される画像信号を受信する第２状態に強制的に切り換えることを特徴とするファクシミリ装置。
【請求項２】
他のファクシミリ装置と信号の送受信を行うモデムと、受信した画像信号をフレーム毎に正しく受信されたか否かの確認を行うエラーチェック部とを有するとともに、前記モデムで正しく受信されなかったフレームが前記エラーチェック部で確認されたとき、通信相手となるファクシミリ装置に対して正しく受信されなかったフレームの画像信号の再送を求めるためのＥＣＭ（Error Correction Mode）機能を備えたファクシミリ装置において、
前記エラーチェック部において、前記モデムで正しく受信されなかったフレームが連続したことが確認されると、
前記モデムの通信動作を、第１通信速度で送受信される画像信号を受信する第１状態から、第２通信速度で送受信される画像信号を受信する第２状態に強制的に切り換えた後、
前記通信相手となるファクシミリ装置から信号を受信するために、前記モデムが前記第１状態で受信する画像信号の最大フレーム数に応じた時間、前記モデムを前記第２状態で待機させることを特徴とするファクシミリ装置。
【請求項３】
前記エラーチェック部において、前記モデムで正しく受信されなかったフレームが連続したことが確認されると、
前記モデムの通信動作を前記第２状態に切り換えた後、前記通信相手となるファクシミリ装置から信号を受信したとき、前記通信相手となるファクシミリ装置に対して、正しく受信されなかったフレームから、前記モデムが前記第１状態で受信するであろう最後のフレームまでの画像信号の再送を求めるためのＰＰＲ（Pertial Page Request）を送信することを特徴とする請求項１又は請求項２に記載のファクシミリ装置。
【請求項４】
前記エラーチェック部において、前記モデムで正しく受信されなかったフレームが連続したことが確認されると、
前記モデムの通信動作を前記第２状態に切り換えた後、前記通信相手となるファクシミリ装置から信号を受信するために、前記モデムが前記第１状態で受信する画像信号の最大フレーム数に応じた時間、前記モデムを前記第２状態で待機させることを特徴とする請求項１又は請求項３に記載のファクシミリ装置。
【請求項５】
他のファクシミリ装置と送受信を行うモデムを有し、該モデムで受信した画像信号をフレーム毎に正しく受信されたか否かの確認を行い、正しく受信されなかったフレームが確認されたとき、通信相手となるファクシミリ装置に対して正しく受信されなかったフレームの画像信号の再送を求めるためのＥＣＭ機能を備えたファクシミリ装置におけるファクシミリ通信方法において、
所定時間、前記モデムで正しく画像信号が受信されなかったときに、正しく受信されなかったフレームが連続したものと見なすとともに、
正しく受信されなかったフレームが連続したことが確認されると、
前記モデムの通信動作を、第１通信速度で送受信される画像信号を受信する第１状態から、第２通信速度で送受信される画像信号を受信する第２状態に強制的に切り換えることを特徴とするファクシミリ通信方法。
【請求項６】
他のファクシミリ装置と送受信を行うモデムを有し、該モデムで受信した画像信号をフレーム毎に正しく受信されたか否かの確認を行い、正しく受信されなかったフレームが確認されたとき、通信相手となるファクシミリ装置に対して正しく受信されなかったフレームの画像信号の再送を求めるためのＥＣＭ機能を備えたファクシミリ装置におけるファクシミリ通信方法において、
正しく受信されなかったフレームが連続したことが確認されると、
前記モデムの通信動作を、第１通信速度で送受信される画像信号を受信する第１状態から、第２通信速度で送受信される画像信号を受信する第２状態に強制的に切り換えた後、
前記通信相手となるファクシミリ装置から信号を受信するために、前記モデムが前記第１状態で受信する画像信号の最大フレーム数に応じた時間、前記モデムが前記第２状態で待機することを特徴とするファクシミリ通信方法。
【請求項７】
前記モデムで正しく受信されなかったフレームが連続したことが確認されると、
前記モデムの通信動作を前記第２状態に切り換えた後、前記通信相手となるファクシミリ装置から信号を受信したとき、前記通信相手となるファクシミリ装置に対して、正しく受信されなかったフレームから、前記モデムが前記第１状態で受信するであろう最後のフレームまでの画像信号の再送を求めるためのＰＰＲを送信することを特徴とする請求項５又は請求項６に記載のファクシミリ通信方法。
【請求項８】
前記モデムで正しく受信されなかったフレームが連続したことが確認されると、
前記モデムの通信動作を前記第２状態に切り換えた後、前記通信相手となるファクシミリ装置から信号を受信するために、前記モデムが前記第１状態で受信する画像信号の最大フレーム数に応じた時間、前記モデムが前記第２状態で待機することを特徴とする請求項５又は請求項７に記載のファクシミリ通信方法。
【請求項９】
他の通信装置と信号の送受信を行う送受信部と、受信した信号を所定データ量毎に正しく受信されたか否かの確認を行うエラーチェック部とを有するとともに、前記送受信部で正しく受信されなかった信号が前記エラーチェック部で確認されたとき、通信相手となる通信装置に対して正しく受信されなかった信号の再送を求めるためのエラー訂正機能を備えた通信装置において、
前記エラーチェック部において、所定時間、前記送受信部で正しく信号が受信されなかったときに、前記所定データ量の信号が連続して正しく受信されなかったものと見なすとともに、前記送受信部で前記所定データ量の信号が連続して正しく受信されなかったことが確認されると、
前記送受信部の通信動作を、第１通信速度で送受信される信号を受信する第１状態から、第２通信速度で送受信される信号を受信する第２状態に強制的に切り換えることを特徴とする通信装置。
【請求項１０】
他の通信装置と信号の送受信を行う送受信部と、受信した信号を所定データ量毎に正しく受信されたか否かの確認を行うエラーチェック部とを有するとともに、前記送受支部で正しく受信されなかった信号が前記エラーチェック部で確認されたとき、通信相手となる通信装置に対して正しく受信されなかった信号の再送を求めるためのエラー訂正機能を備えた通信装置において、
前記エラーチェック部において、前記送受信部で前記所定データ量の信号が連続して正しく受信されなかったことが確認されると、
前記送受信部の通信動作を、第１通信速度で送受信される信号を受信する第１状態から、第２通信速度で送受信される信号を受信する第２状態に強制的に切り換えた後、
前記通信相手となる通信装置から信号を受信するために、前記送受信部が前記第１状態で受信する信号の最大データ量に応じた時間、前記送受信部を前記第２状態で待機させることを特徴とする通信装置。
【請求項１１】
他の通信装置と送受信を行う送受信部を有し、該送受信部で受信した信号を所定データ量毎に正しく受信されたか否かの確認を行い、正しく受信されなかった信号が確認されたとき、通信相手となる通信装置に対して正しく受信されなかった信号の再送を求めるためのエラー訂正機能を備えた通信装置における通信方法において、
所定時間、前記送受信部で正しく信号が受信されなかったときに、前記所定データ量の信号が連続して正しく受信されなかったものと見なすとともに、
前記所定データ量の信号が連続して正しく受信されなかったことが確認されると、
前記送受信部の通信動作を、第１通信速度で送受信される信号を受信する第１状態から、第２通信速度で送受信される信号を受信する第２状態に強制的に切り換えることを特徴とする通信方法。
【請求項１２】
他の通信装置と送受信を行う送受信部を有し、該送受信部で受信した信号を所定データ量毎に正しく受信されたか否かの確認を行い、正しく受信されなかった信号が確認されたとき、通信相手となる通信装置に対して正しく受信されなかった信号の再送を求めるためのエラー訂正機能を備えた通信装置における通信方法において、
前記所定データ量の信号が連続して正しく受信されなかったことが確認されると、
前記送受信部の通信動作を、第１通信速度で送受信される画像信号を受信する第１状態から、第２通信速度で送受信される信号を受信する第２状態に強制的に切り換えた後、
前記通信相手となる通信装置から信号を受信するために、前記送受信部が前記第１状態で受信する画像の最大データ量に応じた時間、前記送受信部が前記第２状態で待機することを特徴とする通信方法。
【発明の詳細な説明】
【０００１】
【発明の属する技術分野】
本発明は、受信信号の変調方式が切り替わるファクシミリ装置及びファクシミリ通信方法に関するもので、特に、誤り再送方式となるＥＣＭ（Ｅｒｒｏｒ  Ｃｏｒｒｅｃｔｉｏｎ  Ｍｏｄｅ）機能を備えたファクシミリ装置及びこのファクシミリ装置のファクシミリ通信方法に関する。
【０００２】
【従来の技術】
従来より、ファクシミリ装置において、通信時に電話回線上でノイズなどの影響を受けて、受信側で正しく画像信号が受信されなかったとき、送信側に画像信号の再送要求を行い、正しく受信されなかった画像信号の再送が行われる、ＥＣＭ機能を備えている。このＥＣＭ機能を利用して通信が行われているとき、図３のように、１フレームの２５６バイトの画像フレームを２５６フレーム送信した後、フェーズＤに切り替わって、ＰＰＳ−ＥＯＰ（Ｐｅｒｔｉａｌ  Ｐａｇｅ  Ｓｉｇｎａｌ  −  Ｅｎｄ  Ｏｆ  Ｐｒｏｃｅｄｕｒｅ）が送信側のファクシミリ装置より送信される。
【０００３】
ＰＰＳ−ＥＯＰを受信した受信側のファクシミリ装置は、ＥＯＰより最終ページの送信信号の送信が終了したことを認識するとともに、ＰＰＳよりＥＣＭ通信であることを認識する。このとき、送信された２５６フレームの画像信号の中に、ノイズが重畳されて正しく受信されなかったフレームがあった場合、図３のように、正しく受信されなかったフレームを指定するためのＰＰＲ（Ｐｅｒｔｉａｌ  Ｐａｇｅ
Ｒｅｑｕｅｓｔ）が送信側のファクシミリ装置に送信される。
【０００４】
このＰＰＲを受信した送信側のファクシミリ装置は、ＰＰＲより受信側のファクシミリ装置で正しく受信されなかったフレームを認識し、そのフレームの画像信号を再送した後、ＰＰＳ−ＥＯＰを送信する。受信側のファクシミリ装置は、再送されたフレームの画像信号を受信すると、正しく受信されなかったフレームがある場合は、再度ＰＰＲが送信され、受信側及び送信側のファクシミリ装置で上述の通信動作が繰り返される。
【０００５】
これに対して、受信側のファクシミリ装置において、画像信号が正しく受信された場合は、図３のように、正しく画像信号を受信したことを示すＭＣＦ（Ｍｅｓｓａｇｅ  Ｃｏｎｆｉｒｍａｔｉｏｎ）が送信される。そして、送信側のファクシミリ装置がＭＣＦを受信して、正しく画像信号が受信されたことを認識すると、図３のように、ＤＣＮ（Ｄｉｓｃｏｎｎｅｃｔ）が送信されて回線を切断することを受信側のファクシミリ装置に知らせる。
【０００６】
このようにＥＣＭ機能を利用してファクシミリ通信が行われたとき、正しく受信されなかったフレームの画像信号が、正しく受信されるまで再送されるため、受信側のファクシミリ装置に確実に画像信号を送信することができる。
【０００７】
【発明が解決しようとする課題】
しかしながら、送信された画像信号に重畳されたノイズが一時的なもので、断続的にエラーが発生する場合は、ＥＣＭ機能で対応することができるが、インパルスノイズや瞬断によって連続的にエラーが発生して、ファクシミリ装置に設けられたモデムでの受信信号が発散してしまった場合、画像信号の最終フレームであるＲＣＰ（Ｒｅｔｕｒｎ  ｔｏ  Ｃｏｎｔｒｏｌ  Ｐａｒｔｉａｌ）フレームの検出ができず、ＰＰＳ−ＥＯＰが検出できないことがある。これは、画像信号は１４４００ｂｐｓの通信速度で送信されているのに対して、ＰＰＳ−ＥＯＰは３００ｂｐｓの通信速度で送信されているというように通信速度が異なるため、画像信号の受信後ＰＰＳ−ＥＯＰを受信するのに、モデムの受信モードを切り換える必要があるためである。
【０００８】
即ち、１４４００ｂｐｓの通信速度に応じた受信状態で画像信号を受信している際、正常な動作を行っているときには、ＲＣＰフレーム検出後に３００ｂｐｓの通信速度に応じた受信状態に切り換えるが、画像信号の受信時にエラーが連続的に発生した場合、ＲＣＰフレームの検出ができないために、受信状態を切り換えることができずに、ＰＰＳ−ＥＯＰの受信が確認できない。よって、受信側のファクシミリ装置からＰＰＲを送信することができず、再送の要求ができない。尚、ＰＰＳ−ＥＯＰやＰＰＲといった、フェーズＢ及びフェーズＤにおいて３００ｂｐｓの通信速度で送受信される信号をＦＳＫ（Ｆｒｅｑｕｅｎｃｙ  Ｓｈｉｆｔ  Ｋｅｙｉｎｇ）信号と呼ぶ。
【０００９】
このような問題を鑑みて、本発明は、ＥＣＭ機能を利用して通信動作を行っている際に部分ページ信号（ＰＰＳ）を確実に受信することが可能なファクシミリ装置及びファクシミリ通信方法を提供することを目的とする。
【００１０】
【課題を解決するための手段】
上記目的を達成するために、本発明のファクシミリ装置は、他のファクシミリ装置と信号の送受信を行うモデムと、受信した画像信号をフレーム毎に正しく受信されたか否かの確認を行うエラーチェック部とを有するとともに、前記モデムで正しく受信されなかったフレームが前記エラーチェック部で確認されたとき、通信相手となるファクシミリ装置に対して正しく受信されなかったフレームの画像信号の再送を求めるためのＥＣＭ機能を備えたファクシミリ装置において、前記エラーチェック部において、所定時間、前記モデムで正しく画像信号が受信されなかったときに、正しく受信されなかったフレームが連続したものと見なすとともに、前記モデムで正しく受信されなかったフレームが連続したことが確認されると、前記モデムの通信動作を、第１通信速度で送受信される画像信号を受信する第１状態から、第２通信速度で送受信される画像信号を受信する第２状態に強制的に切り換えることを特徴とする。
【００１１】
このようなファクシミリ装置において、エラーチェック部で、正しく受信されずにエラーの発生したフレームが連続して検出されると、前記モデムの通信速度を、例えば１４４００ｂｐｓといった通信速度の速い画像信号を受信する第１状態から、例えば３００ｂｐｓといった通信速度の遅いＦＳＫ信号を受信する第２状態に切り換える。こうすることによって、モデムが画像信号を正常に受信できない発散状態になったとき、画像信号の最終フレームとなるＲＣＰフレームの検出が不可能であっても、ＦＳＫ信号を受信することが可能な状態とされるので、通信相手となるファクシミリ装置の通信状態がフェーズＤに遷移したことを認識することができる。
【００１２】
このようなファクシミリ装置において、前記エラーチェック部において、所定時間、前記モデムで正しく画像信号が受信されなかったときに、正しく受信されなかったフレームが連続したものと見なす。このとき、この所定時間を、例えば４秒間とすることで、約２８フレームの画像信号が正しく受信されなかったこととなる。
【００１３】
又、前記エラーチェック部において、前記モデムで正しく受信されなかったフレームが連続したことが確認されると、前記モデムの通信動作を前記第２状態に切り換えた後、前記通信相手となるファクシミリ装置から信号を受信したとき、前記通信相手となるファクシミリ装置に対して、正しく受信されなかったフレームから、前記モデムが前記第１状態で受信するであろう最後のフレームまでの画像信号の再送を求めるためのＰＰＲを送信するようにすることで、エラーの発生が開始したフレーム以降の全てのフレームについての画像信号の再送を求めることができる。
【００１４】
又、前記エラーチェック部において、前記モデムで正しく受信されなかったフレームが連続したことが確認されると、前記モデムの通信動作を前記第２状態に切り換えた後、前記通信相手となるファクシミリ装置から信号を受信するために、前記モデムが前記第１状態で受信する画像信号の最大フレーム数に応じた時間、前記モデムを前記第２状態で待機させるようにすることで、画像信号の最初のフレームからエラーが発生して画像信号が全て受信不可能であるときも、ＰＰＳを受信可能な状態とすることができる。尚、第１状態で受信する画像信号の最大フレーム数に応じた時間は、画像信号の各フレーム間のフラグに対する時間を省いたものとしても構わない。
【００１５】
本発明のファクシミリ通信方法は、他のファクシミリ装置と送受信を行うモデムを有し、該モデムで受信した画像信号をフレーム毎に正しく受信されたか否かの確認を行い、正しく受信されなかったフレームが確認されたとき、通信相手となるファクシミリ装置に対して正しく受信されなかったフレームの画像信号の再送を求めるためのＥＣＭ機能を備えたファクシミリ装置におけるファクシミリ通信方法において、所定時間、前記モデムで正しく画像信号が受信されなかったときに、正しく受信されなかったフレームが連続したものと見なすとともに、正しく受信されなかったフレームが連続したことが確認されると、前記モデムの通信動作を、第１通信速度で送受信される画像信号を受信する第１状態から、第２通信速度で送受信される画像信号を受信する第２状態に強制的に切り換えることを特徴とする。
【００１７】
又、前記モデムで正しく受信されなかったフレームが連続したことが確認されると、前記モデムの通信動作を前記第２状態に切り換えた後、前記通信相手となるファクシミリ装置から信号を受信したとき、前記通信相手となるファクシミリ装置に対して、正しく受信されなかったフレームから、前記モデムが前記第１状態で受信するであろう最後のフレームまでの画像信号の再送を求めるためのＰＰＲを送信するようにすることで、受信しなかったフレームの画像信号の再送要求を行うことができる。
【００１８】
又、前記モデムで正しく受信されなかったフレームが連続したことが確認されると、前記モデムの通信動作を前記第２状態に切り換えた後、前記通信相手となるファクシミリ装置から信号を受信するために、前記モデムが前記第１状態で受信する画像信号の最大フレーム数に応じた時間、前記モデムが前記第２状態で待機するようにしても構わない。
【００１９】
【発明の実施の形態】
本発明の実施形態について、図面を参照して説明する。図１は、本実施形態のファクシミリ装置の内部構成を示すブロック図である。図２は、図１のファクシミリ装置の動作を示すフローチャートである。
【００２０】
図１のファクシミリ装置は、装置全体の制御を行う主制御部１と、画像データの符号化を行う符号化部２と、受信信号の復号化を行う復号化部３と、信号の変復調を行うモデム４と、ファクシミリと電話との間での電話回線との接続の切り換えを行うＮＣＵ（Ｎｅｔｗｏｒｋ  Ｃｏｎｔｒｏｌ  Ｕｎｉｔ）５と、送信原稿の内容を読み取るためのＣＣＤ（Ｃｈａｒｇｅ  Ｃｏｕｐｌｅｄ  Ｄｅｖｉｃｅ）センサなどの光電変換素子で構成される画像読み取り部６と、画像読み取り部６で得られた電気信号による画像データに対してシェーディング補正や二値化処理又はハーフトーン処理などの画像処理を行う画像処理部７と、復号化された画像データに対してスムージング処理などの画像処理を行う記録処理部８と、記録処理部８で画像処理された画像データに従って記録紙に受信原稿の印字を行うとともに印字された記録紙を排出する出力部９と、送受信の指示などを行うための操作部１０と、相手先電話番号などを表示するための表示部１１と、相手先番号などを格納するためのメモリ１２と、受信原稿の画像データを格納するための画像メモリ１３とを備える。
【００２１】
このような構成のファクシミリ装置は、図３のように通信を行う。即ち、送信側のファクシミリ装置の操作部１０が操作されて、相手先電話番号がダイヤルされると、発呼動作が行われて、相手の読み出しを行うためにＣＮＧ（Ｃａｌｌｉｎｇ  Ｔｏｎｅ）がモデム４及びＮＣＵ５を通じて送信される。受信側のファクシミリ装置のＮＣＵ５でＣＮＧを受信すると、ファクシミリ通信が行われることが認識される。そして、受信側のファクシミリ装置が、ＣＥＤ（Ｃａｌｌｅｄ  Ｔｏｎｅ）をモデム４及びＮＣＵ５を通じて送信側のファクシミリ装置に送信する。尚、ＣＮＧ及びＣＥＤによって、送信側及び受信側それぞれがファクシミリ装置であることが識別される。
【００２２】
このようにしてフェーズＡの動作が行われて、送信側と受信側のファクシミリ装置の間で通信接続が成されると、受信側のファクシミリ装置から、ＮＳＦ（Ｎｏｎ−Ｓｔａｎｄａｒｄ  Ｆａｃｉｌｉｔｉｅｓ）、ＣＳＩ（Ｃａｌｌｅｄ  Ｓｕｂｓｃｒｉｂｅｒ  Ｉｄｅｎｔｉｆｉｃａｔｉｏｎ）、ＤＩＳ（Ｄｉｇｉｔａｌ  Ｉｄｅｎｔｉｆｉｃａｔｉｏｎ  Ｓｉｇｎａｌ）が送信される。このとき、ＮＳＦがメーカ独自のファクシミリ装置の機能を、ＣＳＩが受信側の電話番号を、ＤＩＳがＧ３標準のファクシミリ装置の機能を、それぞれ示す。尚、ファクシミリ装置の機能とは、モデムの種類、送受信する原稿の記録紙幅、通信スピードなどを表す。
【００２３】
これに対して、送信側のファクシミリ装置から、ＮＳＳ（Ｎｏｎ−Ｓｔａｎｄａｒｄ  Ｆａｃｉｌｉｔｉｅｓ  Ｓｅｔ−ｕｐ）、又は、ＴＳＩ（Ｔｒａｎｓｍｉｔｔｉｎｇ  Ｓｕｂｓｃｒｉｂｅｒ  Ｉｄｅｎｔｉｆｉｃａｔｉｏｎ）及びＤＣＳ（Ｄｉｇｉｔａｌ  Ｃｏｍｍａｎｄ  Ｓｉｇｎａｌ）が送信される。このとき、ＮＳＳが設定されたメーカ独自のファクシミリ装置の送信条件を、ＴＳＩが送信側の電話番号を、ＤＣＳが設定されたＧ３標準のファクシミリ装置の送信条件を、それぞれ示す。尚、ＮＳＳ及びＤＣＳは、受信したＮＳＦ及びＤＩＳによって認識した受信側の機能に応じて設定された送信条件を表す。又、ＮＳＳ、ＮＳＦは、送受信のファクシミリ装置が同一メーカのものであるときに、それぞれ認識される信号である。
【００２４】
そして、正常に通信できるかを試験するために、送信側のファクシミリ装置よりＴＣＦ（Ｔｒａｉｎｉｎｇ  Ｃｈｅｃｋ  Ｆｉｅｌｄ）が送信される。このＴＣＦを受信した受信側のファクシミリ装置では、受信したＴＣＦに誤りが確認されなかったとき、正常に送信動作が行われたことを示すＣＦＲ（Ｃｏｎｆｉｒｍａｔｉｏｎ  ｔｏ  Ｒｅｃｅｉｖｅ）を、送信側のファクシミリ装置に対して送信する。このフェーズＡ及びフェーズＢでは、ファクシミリ装置は、ＦＳＫ信号を通信用の信号として使用するため、モデム４を３００ｂｐｓの送信速度に応じた状態にする。尚、ＴＣＦは、試験用の信号であるため、フェーズＣの画像信号と同じ送信速度で送信される。
【００２５】
このようにしてフェーズＢの通信動作が行われて、送信側のファクシミリ装置が受信側のファクシミリ装置の機能に応じた送信条件で送信するように設定された後、正常に通信が行われることが確認されると、フェーズＣに移行する。このフェーズＣでは、送信側のファクシミリ装置より画像信号が送信信号として受信側のファクシミリ装置に送信される。このとき、受信側のファクシミリ装置は、モデム４を１４４００ｂｐｓの送信速度に応じた状態にする。
【００２６】
このようにしてフェーズＣに、ファクシミリ装置の通信状態が遷移した後の受信側のファクシミリ装置の動作について、図２のフローチャートを参照して説明する。尚、以下において、モデム４の通信動作状態のうち、１４４００ｂｐｓの通信速度の画像信号を送受信するための通信状態のことを「画像信号通信モード」、３００ｂｐｓの通信速度のＦＳＫ信号を送受信するための通信状態のことを「ＦＳＫ通信モード」と呼ぶ。
【００２７】
上述のようにフェーズＢからフェーズＣに通信状態が遷移すると、受信側のファクシミリ装置において、モデム４をＦＳＫ通信モードから画像信号通信モードに切り換える（ＳＴＥＰ１）。このようにモデム４が画像信号通信モードとされた後、送信側のファクシミリ装置から１フレームが２５６バイトの画像信号が送信され、モデム４で受信される（ＳＴＥＰ２）。このとき、受信された画像信号は、モデム４で復調される。この画像信号は、多くのビットデータを送信することが可能な変調方式であるＱＡＭ（Ｑｕａｄｒａｔｕｒｅ  Ａｍｐｌｉｔｕｄｅ  Ｍｏｄｕｌａｔｉｏｎ）方式やＤＰＳＫ（Ｄｉｆｆｅｒｅｎｔ  Ｐｈａｓｅ  Ｓｈｉｆｔ  Ｋｅｙｉｎｇ）方式などで変調が施されている。
【００２８】
このようにモデム４で画像信号を復調したとき、通信エラーが発生したか否かが確認される（ＳＴＥＰ３）。このとき、受信した画像信号にノイズが重畳されているために、モデム４において正常なときのように復調することが不可能な状態となりエラーが発生すると、復号化部３を通じて主制御部１が通信エラーが発生したことを認識される。このような通信エラーを主制御部１が認識しなかったとき（Ｎｏ）、受信した画像信号が復号化部３で復号化された後、ＲＣＰフレームであるか否かが確認される（ＳＴＥＰ４）。
【００２９】
そして、画像信号の受信が開始されてから最終フレームとなるＲＣＰフレームが受信されていることが確認されると（Ｙｅｓ）、このＲＣＰフレームの後に、送信側のファクシミリ装置からＦＳＫ信号であるＰＰＳ−ＥＯＰが送信されるため、モデム４の状態をＦＳＫ通信モードに切り換える（ＳＴＥＰ５）。よって、フェーズＤに通信状態が遷移する。又、ＲＣＰフレームでない場合は（Ｎｏ）、再度、ＳＴＥＰ２以降の動作が行われる。
【００３０】
又、ＳＴＥＰ３において、エラーの発生が確認されると、エラーが所定時間継続して発生するか否かが主制御部１において確認される（ＳＴＥＰ６）。このとき、一時的に発生したエラーである場合は（Ｎｏ）、ＳＴＥＰ４に移行して、ＲＣＰフレームを受信しているか否かの確認が行われる。逆に、エラーが所定時間継続して発生したことが確認されると（Ｙｅｓ）、それ以降もエラーが発生し続けてモデム４での受信信号が発散する可能性が高くなり、ＲＣＰフレームの確認が行われず、ＦＳＫ通信モードへの切り換えが行われない可能性があるため、強制的にＦＳＫ通信モードへ切り換える（ＳＴＥＰ７）。
【００３１】
このＳＴＥＰ６でのエラーの継続を確認するために規定された所定時間は、例えば、４秒程度としても構わない。この４秒間に、４×１４４００＝５７６００ビット、即ち、７２００バイトのデータが受信される。即ち、１フレームが２５６バイトであるので、４秒間に約２８フレームの画像信号が受信されることとなる。よって、フェーズＣに状態が遷移して、最大２５６フレームの画像信号が送受信されることを考慮すると、このように４秒と規定することによって、十分にモデム４が発散したと認識可能な量のエラーが発生しているとすることができる。
【００３２】
このように、モデム４の通信状態をＦＳＫ通信モードへ切り換えると、ＰＰＳ−ＥＯＰの受信が確認される（ＳＴＥＰ８）。このとき、ＰＰＳ−ＥＯＰの受信が確認されると（Ｙｅｓ）、フェーズＤに状態遷移するとともに、ＳＴＥＰ３でエラーが発生したことが検出されたフレーム以降の全フレームの送信を要求するためのＰＰＲを送信する（ＳＴＥＰ９）。
【００３３】
又、ＰＰＳ−ＥＯＰの受信が確認されなかった場合は（Ｎｏ）、モデム４の通信状態をＦＳＫ通信モードに切り換えてから、所定時間が経過したか否かの確認が行われる（ＳＴＥＰ１０）。このとき、所定時間が経過していないときは（Ｎｏ）、再度、ＳＴＥＰ８でＰＰＳ−ＥＯＰの受信が確認される。逆に、所定時間が経過したときは（Ｙｅｓ）、通信エラーとされて、送信側のファクシミリ装置との通信回線を切断する（ＳＴＥＰ１１）。
【００３４】
尚、ＳＴＥＰ１０で確認される所定時間は、次のように規定することができる。フェーズＣに遷移されてから２５６バイトのフレームが最大２５６フレーム分送信されるため、最大２５６×２５６＝６５５３６バイトのデータが、フェーズＣに遷移されてから送信される。よって、通信速度が１４４００ｂｐｓであるため、この最大フレーム分が送信されるときにかかる時間が、６５５３６×８／１４４００＝３６．４秒となる。即ち、ＳＴＥＰ１０で確認される所定時間を最低でも３６．４秒とすればよい。尚、このように算出された所定時間は、フェーズＣで受信される画像信号において、各フレーム間に配置されるフラグについての時間を除いたものであるので、フラグ送出時間を考慮すると、もう少し長くする必要がある。
【００３５】
上述のように、フェーズＣに通信状態が遷移した後、図２のフローチャートに従って、受信側のファクシミリ装置が動作した後、フェーズＤに通信状態が遷移すると、従来の技術で説明したように、受信した画像信号にエラーがある場合は、ＰＰＳ−ＥＯＰを受信すると、図３のように、エラーの発生したフレームの再送を要求するためのＰＰＲが送信側のファクシミリ装置に送信される。このとき、モデム４での受信信号が発散したものと見なされた場合は、上述したように、最初にエラーが発生したことが確認されたフレーム以降の全てのフレームの再送を要求するためのＰＰＲが送信側のファクシミリ装置に送信される。
【００３６】
又、フェーズＤに通信状態が遷移して、受信側のファクシミリ装置が受信した画像信号にエラーがなかった場合は、ＰＰＳ−ＥＯＰを受信すると、図３のようにＭＣＦを送信側のファクシミリ装置に正常に通信が行われたことを通知する。そして、ＭＣＦを受信した送信側のファクシミリ装置がＤＣＮを受信側のファクシミリ装置に送信して、回線を切断する。
【００３７】
尚、本明細書では、説明を簡単にするために、上述したように、画像信号の送信終了後にＰＰＳとともにＥＯＰが送信されるような、最終ページとなる画像信号が送信されたときの動作について説明したが、送信する原稿の途中ページの画像信号が送信されたときの動作についても同様である。即ち、１ブロック又は１ページ分の画像信号が送信された後に、フェーズＤに状態遷移し、送信側のファクシミリ装置からＰＰＳとともにＮＵＬＬ又はＥＯＭ（Ｅｎｄ  Ｏｆ  Ｍｅｓｓａｇｅ）が送信される場合も、ＮＵＬＬが送信されるときは受信側のファクシミリ装置がＭＣＦを送信した後フェーズＣに状態遷移すること以外、又、ＥＯＭが送信されるときは受信側のファクシミリ装置がＭＣＦを送信した後フェーズＢに状態遷移すること以外、同様の動作が行われる。
【００３８】
又、画像信号及びＦＳＫ信号の通信速度をそれぞれ、１４４００ｂｐｓ及び３００ｂｐｓとして説明したが、それぞれの通信速度についてはこれに限るものではない。
【００３９】
【発明の効果】
本発明によると、エラーが連続的に発生して、連続した複数のフレームの画像信号が受信されなくなったとき、モデムの通信状態が強制的に第２状態とされるため、インパルスノイズや瞬断によって、画像信号が受信不可能な状態となっても、ＦＳＫ信号が受信してフェーズＤに状態遷移したことを認識することができる。即ち、ＰＰＳを受信することが可能な状態とすることができる。
【００４０】
又、正しく受信されなかった連続したフレームにおける最初のフレームから、モデムが第１状態で受信するであろう最後のフレームまでの画像信号の再送を求めるためのＰＰＲを送信するので、エラーの発生が開始したフレーム以降の全てのフレームについての画像信号の再送を求めることができる。更に、第１状態であるフェーズＣで受信する画像信号の最大フレーム数に応じた時間、モデムを第２状態に切り換えて待機させるので、画像信号の最初のフレームからエラーが発生して画像信号が全て受信不可能であるときも、ＰＰＳを受信可能な状態とすることができる。
【図面の簡単な説明】
【図１】本発明のファクシミリ装置の内部構成を示すブロック図。
【図２】図１のファクシミリ装置の動作を示すフローチャート。
【図３】ファクシミリ装置の通信動作を示すタイムチャート。
【符号の説明】
１    主制御部
２    符号化部
３    復号化部
４    モデム
５    ＮＣＵ
６    画像読み取り部
７    画像処理部
８    記録処理部
９    出力部
１０    操作部
１１    表示部
１２    メモリ
１３    画像メモリ
【図１】
0003581117.tif 000002
【図２】
0003581117.tif 000003
【図３】
0003581117.tif 000004